【手続補正書】
【提出日】平成18年9月7日(2006.9.7)
【手続補正１】
【補正対象書類名】特許請求の範囲
【補正対象項目名】全文
【補正方法】変更
【補正の内容】
【特許請求の範囲】
【請求項１】
基礎繊維の複数層から形成され、前記の基礎繊維の層のそれぞれの第１端部が該基礎繊維の層のそれぞれの対応する第２端部に結合されている継目を有する抄紙用又はその他の工業用繊維であって、
予め形成される少なくとも１つの取付機構が、前記基礎繊維の前記複数層のそれぞれの前記端部のそれぞれに結合され、
前記複数層の第１の前記第１端部に結合された前記の予め形成される取付機構の機械方向への１つの長さが、前記複数層の前記第１の前記第１端部に対応する前記の複数層の第２の前記第１端部に結合された前記の予め形成される取付機構の他の長さと異なり、
前記複数層の前記第１の前記第１端部に結合された前記の予め形成される取付機構の前記機械方向への１つの前記長さが、前記複数層の前記第１の前記第２端部に結合された前記の予め形成される取付機構の他の長さと異なることを特徴とする抄紙用又はその他の工業用繊維。
【請求項２】
前記の予め形成される取付機構が、螺旋を有することを特徴とする請求項１に記載の抄紙用又はその他の工業用繊維。
【請求項３】
前記の予め形成される取付機構が、多数の取付リングを有することを特徴とする請求項１に記載の抄紙用又はその他の工業用繊維。
【請求項４】
二つの予め形成される取付機構が、前記基礎繊維の前記複数層のそれぞれの前記第一端部及び第二端部を結合させるのに使用されることを特徴とする請求項１に記載の抄紙用又はその他の工業用繊維。
【請求項５】
前記の基礎繊維の複数層のそれぞれの前記第１端部及び前記第２端部を結合するように、前記の基礎繊維の複数層のそれぞれの対応する端部に結合された前記の予め形成される取付機構のそれぞれに配置されたピンをさらに有することを特徴とする請求項４に記載の抄紙用又はその他の工業用繊維。
【請求項６】
前記基礎繊維の隣り合う少なくとも２つの層に対応する前記ピンが、互いに分枝していることを特徴とする請求項５に記載の抄紙用又はその他の工業用繊維。
【請求項７】
前記の基礎繊維の複数層の第１の前記端部のそれぞれに結合された前記の予め形成される取付機構の前記機械方向への全長が、前記の基礎繊維の複数層の前記第１の隣り合う前記の基礎繊維の複数層の他の前記端部のそれぞれに結合された前記の予め形成される取付機構の前記機械方向での全長と実質的に等しいことを特徴とする請求項１に記載の抄紙用又はその他の工業用繊維。
【請求項８】
打ち綿繊維が、基礎繊維の１つ又は両面に適用されていることを特徴とする請求項１に記載の抄紙用又はその他の工業用繊維。
【請求項９】
基礎繊維の複数層から形成され継目を有する抄紙用又はその他の工業用繊維の形成方法であって、前記の基礎繊維の層のそれぞれの第１端部が、前記の基礎繊維の層のそれぞれの対応する第２端部に結合されており、当該方法は：
前記の基礎繊維の複数層のそれぞれの前記端部のそれぞれに、少なくとも１つの予め形成される取付機構を結合させるステップ；並びに
前記の基礎繊維の複数層のそれぞれの前記第１端部及び前記第２端部を結合させるように、前記の基礎繊維の複数層のそれぞれの対応する端部に結合された前記の予め形成される螺旋のそれぞれに配置されたピンを配置させるステップ；
を有し、ここで、
前記複数層の第１の前記第１端部に結合された前記の予め形成される取付機構の機械方向への１つの長さが、前記複数層の前記第１の前記第１端部に対応する前記の複数層の第２の前記第１端部に結合された前記の予め形成される取付機構の他の長さと異なり、
前記複数層の前記第１の前記第１端部に結合された前記の予め形成される取付機構の前記機械方向への１つの前記長さが、前記複数層の前記第１の前記第２端部に結合された前記の予め形成される取付機構の他の長さと異なることを特徴とする方法。
【請求項１０】
前記の予め形成される取付機構が、螺旋を有することを特徴とする請求項９に記載の方法。
【請求項１１】
前記の予め形成される取付機構が、多数の取付リングを有することを特徴とする請求項９に記載の方法。
【請求項１２】
二つの予め形成される取付機構が、前記基礎繊維の前記複数層のそれぞれの前記第一端部及び第二端部を結合させるのに使用されることを特徴とする請求項９に記載の方法。
【請求項１３】
前記基礎繊維の隣り合う少なくとも２つの層に対応する前記ピンが、互いに分枝していることを特徴とする請求項９に記載の方法。
【請求項１４】
前記の基礎繊維の複数層の第１の前記端部のそれぞれに結合された前記の予め形成される取付機構の前記機械方向への全長が、前記の基礎繊維の複数層の第１の隣り合う前記の基礎繊維の複数層の他の前記端部のそれぞれに結合された前記の予め形成される取付機構の前記機械方向での全長と実質的に等しいことを特徴とする請求項９に記載の方法。
【請求項１５】
前記の予め形成される螺旋を前記第１端部又は前記第２端部の少なくとも一方に固定するのを補助するように、ジグザグパターンに編まれた少なくとも一つのスレッドをさらに有することを特徴とする請求項９に記載の方法。
【請求項１６】
前記の予め形成される螺旋を前記第１端部又は前記第２端部の少なくとも一方に固定するのを補助するように、改変されたジグザグパターンに編まれた少なくとも一つのスレッドをさらに有することを特徴とする請求項９に記載の方法。
【請求項１７】
前記の予め形成される螺旋を前記第１端部又は前記第２端部の少なくとも一方に固定するのを補助するように、改変されたジグザグパターンに編まれた少なくとも一つのヤーンをさらに有することを特徴とする請求項９に記載の方法。
【請求項１８】
継目を有する基礎繊維の複数層であって、ここで、該基礎繊維の前記層のそれぞれの第１端部が、前記基礎繊維の前記層のそれぞれの対応する第２端部に結合されている継目を有する、基礎繊維の複数層；
前記基礎繊維の前記の複数層のそれぞれの前記端部のそれぞれに結合された予め形成される取付機構；並びに
前記基礎繊維の前記の複数層のそれぞれの前記第１端部及び前記第２端部を結合するように、前記基礎繊維の前記の複数層のそれぞれの対応する端部に結合された前記の予め形成される螺旋のそれぞれに配置されたピン；
を有する抄紙用又はその他の工業用繊維であって、ここで、
前記複数層の第１の前記第１端部に結合された前記の予め形成される取付機構の機械方向への１つの長さが、前記複数層の前記第１の前記第１端部に対応する前記の複数層の第２の前記第１端部に結合された前記の予め形成される取付機構の他の長さと異なり、
前記複数層の前記第１の前記第１端部に結合された前記の予め形成される取付機構の前記機械方向への１つの前記長さが、前記複数層の前記第１の前記第２端部に結合された前記の予め形成される取付機構の他の長さと異なることを特徴とする抄紙用又はその他の工業用繊維。
【請求項１９】
前記の予め形成される取付機構が、螺旋を有することを特徴とする請求項１８に記載の抄紙用又はその他の工業用繊維。
【請求項２０】
前記の予め形成される取付機構が、多数の取付リングを有することを特徴とする請求項１８に記載の抄紙用又はその他の工業用繊維。
【請求項２１】
前記基礎繊維の隣り合う少なくとも２つの層に対応する前記ピンが、互いに分枝していることを特徴とする請求項１８に記載の抄紙用又はその他の工業用繊維。
【請求項２２】
前記基礎繊維の隣り合う前記２つの層の少なくとも１つが、螺旋に形成されていることを特徴とする請求項１８に記載の抄紙用又はその他の工業用繊維。
【請求項２３】
前記基礎繊維の隣り合う前記２つの層の少なくとも１つが、螺旋に形成されていることを特徴とする請求項１に記載の抄紙用又はその他の工業用繊維。
【請求項２４】
前記繊維は、継目の領域に付加的な流れ抵抗材料を含むことを特徴とする請求項１８に記載の抄紙用又はその他の工業用繊維。
【請求項２５】
前記繊維は、継目の領域に付加的な流れ抵抗材料を含むことを特徴とする請求項１に記載の抄紙用又はその他の工業用繊維。
【請求項２６】
打ち綿繊維は、基礎繊維の片面又は両面に適用されることを特徴とする請求項１８に記載の抄紙用又はその他の工業用繊維。